(57)【要約】      （修正有）【課題】巻線表面の放熱性を向上させて、低コスト化並びに小型化した変圧器を提供する。【解決手段】変圧器は、鉄心３と、鉄心３の周囲に配される内側巻線４と、内側巻線４の周囲に配される外側巻線５と、鉄心３と内側巻線４とを絶縁させる絶縁部材９と、外側巻線５の外周面を保護する保護部材１０を有する。絶縁部材９、保護部材１０のいずれかは、芳香族ポリアミドの熱伝導率を上回る熱伝導率を有する材料からなる。【選択図】図３
2016146414.tif 000002
【特許請求の範囲】
【請求項１】
鉄心と、
この鉄心の周囲に配される内側巻線と、
この内側巻線のさらに周囲に配される外側巻線と、
前記鉄心と前記内側巻線とを絶縁させる絶縁部材と、
前記外側巻線の外周面を保護する保護部材と
を有し、
前記絶縁部材、前記保護部材のいずれかは、芳香族ポリアミドの熱伝導率を上回る熱伝導率を有する材料からなること
を特徴とする変圧器。
【請求項２】
前記材料は、石英、アルミナ、窒化アルミニウム、窒化ケイ素、炭化ケイ素、窒化ホウ素、酸化マグネシウム、酸化ベリリウム、ジルコニアのいずれかであること
を特徴とする請求項１に記載の変圧器。
【請求項３】
前記内側巻線は二次側電圧の巻線であり、前記外側巻線は一次側電圧の巻線であること
を特徴とする請求項１または２に記載の変圧器。
【発明の詳細な説明】
【技術分野】
【０００１】
本発明は、変圧器の構造に関する。
【背景技術】
【０００２】
変圧器の各相のコイルは、鉄心の周囲に巻かれる低電圧の巻線と、この低電圧の巻線の外側に巻かれる高電圧の巻線とを有している（例えば特許文献１）。これらの巻線は、エポキシ樹脂，シリコン樹脂等の絶縁材からなる絶縁紙によってモールド保護されている。
【先行技術文献】
【特許文献】
【０００３】
【特許文献１】特開２００６−２１０６１９号公報
【特許文献２】特開２０００−５８３１４号公報
【発明の概要】
【発明が解決しようとする課題】
【０００４】
従来の変圧器は巻線の保護のために比較的に厚めの絶縁紙が採用されている。
【０００５】
しかしながら、前記厚めの絶縁紙を採用すると、熱伝導率が低くなるので、巻線の表面での放熱が劣るものとなり、巻線のモールド部分に限らず、変圧器全体の巻線の温度が高くなることがある。また、一般に巻線に用いられる材料は温度依存性が高く、巻線温度が高くなることによって巻線損失が増加する。巻線損失の増加は変圧器の効率低下につながる。
【０００６】
さらに、巻線温度が高くなると、高温耐性の高価な絶縁紙を適用する必要があるので、変圧器のコストアップにつながる。巻線の温度上昇を低減するためには変圧器の内側巻線と外側巻線相互の放熱の影響を抑制する必要がある。そのためには変圧器の内側巻線と外側巻線との間の厚さ方向の距離を充分確保する必要があるので、変圧器の大型化を招くことになる。
【０００７】
本発明は、上記の事情に鑑みなされたもので、変圧器の巻線表面の放熱性を向上させて変圧器の低コスト化並びに小型化を図ることを課題とする。
【課題を解決するための手段】
【０００８】
そこで、本発明の変圧器は、鉄心と、この鉄心の周囲に配される内側巻線と、この内側巻線のさらに周囲に配される外側巻線と、前記鉄心と前記内側巻線とを絶縁させる絶縁部材と、前記外側巻線の外周面を保護する保護部材を有する。前記絶縁部材、保護部材のいずれかは、芳香族ポリアミドの熱伝導率を上回る熱伝導率を有する材料からなる。
【発明の効果】
【０００９】
本発明によれば、変圧器の巻線表面の放熱性が向上するので、変圧器の低コスト化並びに小型化を図ることができる。
【図面の簡単な説明】
【００１０】
【図１】（ａ）は本発明の実施形態における変圧器の平面図、（ｂ）は同変圧器の側面図。
【図２】図１のＡ−Ａ断面図。
【図３】図２のＢ−Ｂ断面図。
【発明を実施するための形態】
【００１１】
以下に図面を参照しながら本発明の実施形態について説明する。
【００１２】
図１に例示した本実施形態の変圧器１は三相の内鉄形の変圧器である。
【００１３】
図２に示したように、変圧器１の各相のコイル２は、鉄心３の周囲に配される二次側電圧（低電圧）の内側巻線４と、この内側巻線４のさらに周囲に配される一次側電圧（高電圧）の外側巻線５とを備える。
【００１４】
鉄心３と内側巻線４との間には、絶縁スペーサ６が配置されることにより、鉄心３，内側巻線４間を絶縁させると共に、周知の絶縁ガス、絶縁油等の冷媒を流通させる冷媒空間６１が確保されている。
【００１５】
また、内側巻線４，外側巻線５間にも、絶縁スペーサ６が配置されることにより、この内側巻線４，外側巻線５間を絶縁させると共に、前記冷媒を流通させる冷媒空間６１が確保されている。
【００１６】
鉄心３は枠縁型のケイ素鋼板が複数積層されて成る。この鉄心３は、図１に示されたように、その上下端が上端フレーム７，下端フレーム８によって各々挟まれた状態で立設支持されている。
【００１７】
図３に示したように、内側巻線４は、例えばホルマル銅線からなり、鉄心３の周囲に整列的に巻装されることにより複数積層された内側巻線層４１の形態を成す。そして、個々の内側巻線層４１間には層間絶縁部材４２が配されている。
【００１８】
また、鉄心３と対向する内側巻線層４１の内周面には内周絶縁部材４３が配されている。一方、内側巻線層４１の外周には、内側巻線４，外側巻線５間での高低電圧の混触を防止する混触防止部材４４が配されている。
【００１９】
さらに、混触防止部材４４の内周にはこの混触防止部材４４と内側巻線層４１とを絶縁させる内周絶縁部材４５が配される一方で、混触防止部材４４の外周には内側巻線４と外側巻線５とを絶縁させる外周絶縁部材４６が配されている。
【００２０】
外側巻線５も、例えばホルマル銅線からなり、内側巻線４の外周絶縁部材４６の周囲に絶縁スペーサ６を介して整列的に巻装されることにより複数積層された外側巻線層５１の形態を成す。また、内側巻線４と同様に、個々の外側巻線層５１間においても層間絶縁部材５２が配されている。さらに、絶縁スペーサ６を介して内側巻線４の外周絶縁部材４６と対向する外側巻線層５１の内周面には内周絶縁部材５３が配されている。
【００２１】
また、図３に示したように、鉄心３と内側巻線４との間には絶縁部材９が配されている。さらに、空気層に面する外側巻線５の外周面にはこの外側巻線５を保護する保護部材１０が配されている。
【００２２】
絶縁部材９、保護部材１０のいずれかは熱伝導性の材料からなるシートが挙げられる。この熱伝導性の材料には周知の高熱伝導材料が適用される（例えば、特許文献２）。前記高熱伝導材料としては、石英、アルミナ、窒化アルミニウム、窒化ケイ素、炭化ケイ素、窒化ホウ素、酸化マグネシウム、酸化ベリリウム、ジルコニア等が例示される。これらの高熱伝導材料のうちから適宜に選択される。
【００２３】
以上の変圧器１によれば、絶縁部材９，保護部材１０の構成材料に高熱伝導材料が採用されたことにより、内側巻線４，外側巻線５の表面の放熱性が向上するので、内側巻線４，外側巻線５の内部温度が低下する。
【００２４】
そして、これにより、以下の効果が得られる。
（１）内側巻線４と外側巻線５との間の冷媒空間６１の厚さ方向の距離の低減によって変圧器の小型化が実現する。
（２）巻線損失の低減による変圧器の電気的な高効率化が実現する。
（３）層間絶縁部材４２，５２の耐熱レベルを考慮する必要がなくなるので、層間絶縁部材４２，５２を構成する材料の耐熱レベルを下げることが可能となり、製造コストの低減化が実現する。
（４）各相コイルの冷却効果の向上により変圧器の大容量化が実現する。
【００２５】
また、本実施形態の変圧器１は、全長の長い内側巻線や外側巻線に高熱伝熱シートを施す特許文献２の変圧器と比べても、変圧器の製造コスト及び製造時の作業時間の観点から有利である。
【００２６】
従来の変圧器に適用されている絶縁部材、保護部材には、芳香族ポリアミドを含んでなるシートが適用されているが（特許文献２）、このシートはその厚さに応じて熱伝導率が０．１０３〜０．１７５［Ｗ／ｍ・Ｋ］となり、熱伝導率としては低い値となる。
【００２７】
これに対して、本実施形態の変圧器１においては絶縁部材９，保護部材１０のいずれかに前記芳香族ポリアミドのシートの１０倍〜２００倍の熱伝導率を有する熱伝導性のシートが適用されている。この熱伝導性のシートが、鉄心３，空気層にそれぞれ面する絶縁部材，保護部材１０に適用されることにより、変圧器１における内側巻線４や外側巻線５の表面における放熱性が高くなり、内側巻線４や外側巻線５の温度上昇の抑制をもたらす。
【００２８】
尚、絶縁部材９，保護部材１０のいずれかのシートの熱伝導率は、芳香族ポリアミドのシートの熱伝導率の１０倍〜２００倍に限らなくともよい。絶縁部材９，保護部材１０のいずれかのシートの熱伝導率は、芳香族ポリアミドのシートの熱伝導率を上回れば、上記の内側巻線４や外側巻線５の温度上昇の抑制をもたらす。
【００２９】
以上、本発明の実施形態について具体的に説明したが、本発明の技術思想の範囲で多彩な変更等が可能であることは、当業者にとって明白なことであり、このような変更等が特許請求の範囲に属することは当然のことである。
【００３０】
すなわち、図１〜図３の変圧器１は、鉄心３の周囲に配される二次電圧の内側巻線４とこの内側巻線４のさらに周囲に配される一次電圧の外側巻線５とを有する変圧器であるが、本発明はこの態様に限定されるものではない。
【００３１】
つまり、鉄心の周囲に配される巻線の電圧と、この巻線のさらに周囲に配される巻線の電圧とが異なる変圧器であればよく、本発明は図１〜図３の変圧器１の態様に限定されない。例えば、鉄心の周囲に一次側電圧の巻線が配される一方でこの一次側電圧の巻線の周囲に二次側電圧の巻線を配し、この鉄心と一次側電圧の巻線との間に絶縁部材を配する一方で二次側電圧の巻線の周囲に保護部材を配した態様が挙げられる。また、上述の変圧器１は「内鉄形」の変圧器であるが、「外鉄形」の変圧器において絶縁部材９，保護部材１０を適用した態様を採ることもできる。これらの態様の変圧器も本発明の技術思想の範囲に属する。
【符号の説明】
【００３２】
１…変圧器
２…コイル
３…鉄心
４…内側巻線
５…外側巻線
６…絶縁スペーサ、６１…冷媒空間
９…絶縁部材
１０…保護部材
【図１】
2016146414.tif 000003
【図２】
2016146414.tif 000004
【図３】
2016146414.tif 000005